(57)【特許請求の範囲】
【請求項１】
所定の情報が符号化された画像パターンを認識する画像認識手段と、上記画像認識手段が認識した上記画像パターンを検出することにより、符号化された上記所定の情報を検出する情報検出手段と、アクセスレベルに応じて送信する送信情報を記憶する情報記憶手段と、上記情報記憶手段が記憶している送信情報のうち、アクセスレベルに応じた所定の送信情報を含む信号を送信する情報送信手段と、上記情報検出手段が検出した上記所定の情報を基に、上記情報送信手段を制御し、上記情報記憶手段が記憶している上記送信情報のうち、上記アクセスレベルに応じた所定の送信情報を出力させる情報出力制御手段とを備える情報提供装置と、
認証情報を示す画像データの画像パターンと、情報処理装置により上記情報提供装置に動作を指示する情報が符号化された画像データの画像パターンと、上記情報処理装置による上記情報提供装置へのアクセスレベルを示す情報が画像パターンの回転方向によって符号化された画像データの画像パターンとを有する情報入力媒体と、
上記情報入力媒体の画像パターンとして与えられる認証情報を示す画像データと、上記情報提供装置に動作を指示する情報が符号化された画像データと、上記情報提供装置へのアクセスレベルを示す情報が画像パターンの回転方向によって符号化された画像データを入力する画像入力手段と、上記画像入力手段が入力した画像データを上記情報提供装置へ送信する画像データ送信手段と、上記情報提供装置が出力した所定の情報を含む信号を受信する信号受信手段と、上記信号受信手段で受信して得られた上記信号に基づいて、上記所定の情報を再生する情報再生手段とを備える情報処理装置とからなり、
上記情報提供装置は、上記情報処理装置から送られてくる認証情報を示す画像データの画像パターンと、動作を指示する情報が符号化された画像データの画像パターンと、アクセスレベルを示す情報が画像パターンの回転方向によって符号化された画像データの画像パターンを上記画像認識手段により認識し、上記情報検出手段が検出した上記認証情報と動作を指示する情報とアクセスレベルを示す情報に応じて、上記情報出力制御手段により、上記情報処理装置からのアクセスレベルを設定して、上記情報送信手段を制御し、上記情報記憶手段が記憶している上記送信情報のうち、上記アクセスレベルに応じた所定の送信情報を出力させ、上記画像認識手段が上記画像パターンを認識していないときは、上記情報記憶手段に記憶される所定の送信情報を上記情報処理装置へ送信し、また、上記画像認識手段が上記画像パターンを認識し、上記情報検出手段により上記認証情報と動作を指示する情報が検出されたときは、その検出結果に基づいて上記認証情報と動作を指示する情報に応じた情報を提供する情報提供システム。
【請求項２】
上記情報入力媒体は広告シートである請求項１記載の情報提供システム。
【請求項３】
上記情報入力媒体は、ユーザ登録及び課金処理を制御する認証システムを介してアクセスされるプロバイダにより頒布される請求項１記載の情報提供システム。
【請求項４】
情報処理装置から送られてくる認証情報を示す画像データの画像パターンと、動作を指示する情報が符号化された画像データの画像パターンと、アクセスレベルを示す情報が画像パターンの回転方向によって符号化された画像データの画像パターンを認識する画像認識手段と、
上記画像認識手段が認識した上記画像パターンを検出することにより、上記認証情報と上記動作を指示する情報とアクセスレベルを示す情報を検出する情報検出手段と、
アクセスレベルに応じて送信する送信する送信情報を記憶する情報記憶手段と、
上記情報記憶手段が記憶している送信情報のうち、アクセスレベルに応じた所定の送信情報を含む信号を送信する情報送信手段と、
上記情報検出手段が検出した上記認証情報と動作を指示する情報とアクセスレベルを示す情報に応じて、上記情報出力制御手段により、上記情報処理装置からのアクセスレベルを設定して、上記情報送信手段を制御し、上記情報記憶手段が記憶している上記送信情報のうち、上記アクセスレベルに応じた所定の送信情報を出力させ、上記画像認識手段が上記画像パターンを認識していないときは、上記情報記憶手段に記憶される所定の送信情報を上記情報処理装置へ送信し、また、上記画像認識手段が上記画像パターンを認識し、上記情報検出手段により上記認証情報と動作を指示する情報が検出されたときは、その検出結果に基づいて上記認証情報と動作を指示する情報に応じた情報を提供する情報出力制御手段と
を備える情報提供装置。
【請求項５】
情報提供装置に動作を指示する情報を符号化された画像データの画像パターンとして有する情報入力媒体の画像データを入力する画像入力手段と、
上記画像入力手段が入力した画像データを上記情報提供装置へ送信する画像データ送信手段と、
上記情報提供装置が出力した所定の情報を含む信号を受信する信号受信手段と、
上記信号受信手段で受信して得られた上記信号に基づいて、上記所定の情報を再生する情報再生手段と
を備え、
上記情報入力媒体は、当該情報入力媒体の認証情報を示す画像データの画像パターンと、上記情報提供装置に動作を指示する情報が符号化された画像データの画像パターンと、アクセスレベルを示す情報が画像パターンの回転方向によって符号化された画像データの画像パターンとを含み、
上記情報入力媒体の画像パターンとして与えられる認証情報を示す画像データと、上記情報提供装置に動作を指示する情報が符号化された画像データの画像パターンと、アクセスレベルを示す情報が画像パターンの回転方向によって符号化された画像データを上記画像入力手段により入力し、上記情報提供装置に動作を指示して、上記情報提供装置から上記アクセスレベルに応じた情報を取得する情報処理装置。
【請求項６】
情報入力媒体の画像データに使用者の識別情報を付加する識別情報付加手段をさらに備え、上記使用者の識別情報を情報入力媒体の画像データに付加して送信する請求項５記載の情報処理装置。
【請求項７】
上記情報提供装置に動作を指示する情報を符号化された画像データの画像パターンとして有する情報入力媒体の印刷データの作成を上記情報提供装置に指示する印刷データ作成指示手段をさらに備える請求項５記載の情報処理装置。
【発明の詳細な説明】
【０００１】
【発明の属する技術分野】
本発明は、符号化された画像パターンを有する情報入力媒体を装着すれば、その情報入力媒体に応じた情報を使用者が獲得することができるようにした情報提供システム、情報提供装置及び情報処理装置に関する。
【０００２】
【従来の技術】
双方向性を有する種々の情報を要求に応じて提供する情報提供装置は、提供を希望する情報のキーワードや検索する情報を、キーボード、タッチパネル又はマウス、トラックボールなどのポインティングデバイスなどの入力装置を使用者が操作して、初めて、使用者が希望する情報を提供する。例えば、７０年台の日本のポピュラー音楽に関する情報を使用者が探している場合、使用者は、自分の得たい情報のキーワードを識別して選択し、その選択した”音楽”、”７０年台”、”日本”及び”ポピュラー”などのキーワードをキーボードなどの入力装置を操作して入力する必要がある。
【０００３】
同様に、使用可能な言語なども、使用者がタッチパネルなどを操作して入力することにより、情報提供装置は、情報の提供形態を変化させる。また、性別、年齢、出身地、個人の好み、所定の契約を行った契約者であるなどの使用者の属性情報は、使用者が、このような入力の操作を行うことにより、提供される情報に、初めて反映される。
【０００４】
従来、情報提供装置に使用者の属性情報を入力するインターフェースは、その属性の利用頻度などで、入力の優先順位を決め、多数の使用者に対して、平均的に入力の手間を少なくするように構成されるのが通常である。例えば、性別と和食洋食中華などの食事の好みでは、特定の場合以外は、性別の属性が利用頻度が高い為、容易に設定が可能で、食事の好みは多数の操作の後に入力可能になるのが通常である。使用者の属性情報は、そのときの状況、個人により優先順位が異なり、使用者の属性情報の入力のたびに、入力画面を、多数回に渡って変更しなければ所定の設定はできない。
【０００５】
音楽や画像などのデータを入手したい場合、使用者が、その音楽や画像に関連したキーワードを入力できなければ、それ以上の情報の入手は困難となる。例えば、使用者が、１９８５年の２輪の世界ロードレース５００ＣＣクラスを走行したＮＲというオートバイの画像そのものを知っていて、そのオートバイの画像そのものを識別できても、それを入手したい場合は、使用者は、”ＮＲ”などの名称を知らなければ、検索できない。同じように、音楽の場合には、使用者に曲名、作曲者、演奏者などの知識がなければ、所定の音楽のデータは得られない。
【０００６】
また、例えば、操作を指示する最初の画面に日本語しか使用されていない場合には、日本語を理解しない使用者は、それ以上の操作は不可能となる。
【０００７】
また、情報提供装置が、電波や赤外線などを介して、情報を提供している場合は、使用者の属性情報は、記憶されず、利用のたびに、属性情報を入力する必要がある。更に、受信装置が、携帯を考慮して小型である場合は、据置き型の装置のキーボード、タッチパネルなどを使用する場合に比較し、スイッチなどの入力手段の選択できる種類が少なく、使用者は、より煩雑な操作を要求される。
【０００８】
【発明が解決しようとする課題】
そこで、本発明は、このような従来の状況に鑑みてなされたものであり、使用者の簡単な操作で、使用者の希望や属性の情報を入手し、その情報にあわせた情報を提供できるようにすることを目的とする。
【０００９】
【課題を解決するための手段】
本発明に係る情報提供システムは、所定の情報が符号化された画像パターンを認識する画像認識手段と、上記画像認識手段が認識した上記画像パターンを検出することにより、符号化された上記所定の情報を検出する情報検出手段と、アクセスレベルに応じて送信する送信情報を記憶する情報記憶手段と、上記情報記憶手段が記憶している送信情報のうち、アクセスレベルに応じた所定の送信情報を含む信号を送信する情報送信手段と、上記情報検出手段が検出した上記所定の情報を基に、上記情報送信手段を制御し、上記情報記憶手段が記憶している上記送信情報のうち、上記アクセスレベルに応じた所定の送信情報を出力させる情報出力制御手段とを備える情報提供装置と、認証情報を示す画像データの画像パターンと、情報処理装置により上記情報提供装置に動作を指示する情報が符号化された画像データの画像パターンと、上記情報処理装置による上記情報提供装置へのアクセスレベルを示す情報が画像パターンの回転方向によって符号化された画像データの画像パターンとを有する情報入力媒体と、上記情報入力媒体の画像パターンとして与えられる認証情報を示す画像データと、上記情報提供装置に動作を指示する情報が符号化された画像データと、上記情報提供装置へのアクセスレベルを示す情報が画像パターンの回転方向によって符号化された画像データを入力する画像入力手段と、上記画像入力手段が入力した画像データを上記情報提供装置へ送信する画像データ送信手段と、上記情報提供装置が出力した所定の情報を含む信号を受信する信号受信手段と、上記信号受信手段で受信して得られた上記信号に基づいて、上記所定の情報を再生する情報再生手段とを備える情報処理装置とからなり、上記情報提供装置は、上記情報処理装置から送られてくる認証情報を示す画像データの画像パターンと、動作を指示する情報が符号化された画像データの画像パターンと、アクセスレベルを示す情報が画像パターンの回転方向によって符号化された画像データの画像パターンを上記画像認識手段により認識し、上記情報検出手段が検出した上記認証情報と動作を指示する情報とアクセスレベルを示す情報に応じて、上記情報出力制御手段により、上記情報処理装置からのアクセスレベルを設定して、上記情報送信手段を制御し、上記情報記憶手段が記憶している上記送信情報のうち、上記アクセスレベルに応じた所定の送信情報を出力させ、上記画像認識手段が上記画像パターンを認識していないときは、上記情報記憶手段に記憶される所定の送信情報を上記情報処理装置へ送信し、また、上記画像認識手段が上記画像パターンを認識し、上記情報検出手段により上記認証情報と動作を指示する情報が検出されたときは、その検出結果に基づいて上記認証情報と動作を指示する情報に応じた情報を提供することを特徴とする。
【００１０】
また、本発明に係る情報提供装置は、情報処理装置から送られてくる認証情報を示す画像データの画像パターンと、動作を指示する情報が符号化された画像データの画像パターンと、アクセスレベルを示す情報が画像パターンの回転方向によって符号化された画像データの画像パターンを認識する画像認識手段と、上記画像認識手段が認識した上記画像パターンを検出することにより、上記認証情報と上記動作を指示する情報とアクセスレベルを示す情報を検出する情報検出手段と、アクセスレベルに応じて送信する送信する送信情報を記憶する情報記憶手段と、上記情報記憶手段が記憶している送信情報のうち、アクセスレベルに応じた所定の送信情報を含む信号を送信する情報送信手段と、上記情報検出手段が検出した上記認証情報と動作を指示する情報とアクセスレベルを示す情報に応じて、上記情報出力制御手段により、上記情報処理装置からのアクセスレベルを設定して、上記情報送信手段を制御し、上記情報記憶手段が記憶している上記送信情報のうち、上記アクセスレベルに応じた所定の送信情報を出力させ、上記画像認識手段が上記画像パターンを認識していないときは、上記情報記憶手段に記憶される所定の送信情報を上記情報処理装置へ送信し、また、上記画像認識手段が上記画像パターンを認識し、上記情報検出手段により上記認証情報と動作を指示する情報が検出されたときは、その検出結果に基づいて上記認証情報と動作を指示する情報に応じた情報を提供する情報出力制御手段とを備えることを特徴とする。
【００１３】
また、本発明に係る情報処理装置は、情報提供装置に動作を指示する情報を符号化された画像データの画像パターンとして有する情報入力媒体の画像データを入力する画像入力手段と、上記画像入力手段が入力した画像データを上記情報提供装置へ送信する画像データ送信手段と、上記情報提供装置が出力した所定の情報を含む信号を受信する信号受信手段と、上記信号受信手段で受信して得られた上記信号に基づいて、上記所定の情報を再生する情報再生手段とを備え、上記情報入力媒体は、当該情報入力媒体の認証情報を示す画像データの画像パターンと、上記情報提供装置に動作を指示する情報が符号化された画像データの画像パターンと、アクセスレベルを示す情報が画像パターンの回転方向によって符号化された画像データの画像パターンとを含み、上記情報入力媒体の画像パターンとして与えられる認証情報を示す画像データと、上記情報提供装置に動作を指示する情報が符号化された画像データの画像パターンと、アクセスレベルを示す情報が画像パターンの回転方向によって符号化された画像データを上記画像入力手段により入力し、上記情報提供装置に動作を指示して、上記情報提供装置から上記アクセスレベルに応じた情報を取得することを特徴とする。
【００１６】
【発明の実施の形態】
以下、本発明を実施するための最良の形態について図面を参照しながら詳細に説明する。
【００１７】
図１は、本発明を適用した情報提供システムの構成を示すシステム構成図である。
【００１８】
この情報提供システムは、フィールドジェネレータ１−１，１−２（以下、個々に区別する必要がない場合、単にフィールドジェネレータ１とも称する）、フィールドプレーヤ２−１，２−２（以下、個々に区別する必要がない場合、単にフィールドプレーヤ２とも称する）、フィールドレコーダ３−１，３−２（以下、個々に区別する必要がない場合、単にフィールドレコーダ３とも称する）やフィールドデスク４等を備える。
【００１９】
フィールドジェネレータ１は、所定の範囲にあるフィールドプレーヤ２、フィールドレコーダ３並びにフィールドデスク４に、電波を利用して、データを送信する。
【００２０】
図１に示す情報提供システムにおいて、フィールドジェネレータ１−１は、フィールドプレーヤ２−１，２−２、フィールドレコーダ３−１並びにフィールドデスク４にデータを送信する。また、フィールドジェネレータ１−２は、フィールドプレーヤ２−２、フィールドレコーダ３−２並びにフィールドデスク４にデータを送信する。フィールドジェネレータ１及びフィールドデスク４は、ネットワーク５−１又はネットワーク５−２に接続され、ネットワーク５−１又はネットワーク５−１５−２を介して相互にデータを伝送できる。
【００２１】
フィールドプレーヤ２、フィールドレコーダ３及びフィールドデスク４は、フィールドジェネレータ１から送信されたデータを元に、静止画像、動画像、音声、音声、文字などの情報を再生する。フィールドプレーヤ２及びフィールドレコーダ３は、使用者が携帯可能な小型携帯端末である。フィールドプレーヤ２−１は、所定の位置にリフィル８−１を配置することができる。フィールドプレーヤ２−２は、その所定の位置にリフィル８−２を配置することができる。フィールドデスク４は、その所定の位置にリフィル８−３を配置することができる。以下、リフィル８−１乃至８−３は、個々に区別する必要がない場合、単にリフィル８とも称する。フィールドプレーヤ２及びフィールドデスク４は、使用者が必要とする１枚又は複数枚のリフィル８を配置することができる。そのリフィル８は、使用者が必要に応じて、書物のページと同様にめくることができる。
【００２２】
ＵＭＫ（Ｕｌｔｒａ  Ｍａｇｉｃ  Ｋｅｙ）ステッカ７−１乃至７−６（以下、個々に区別する必要がない場合、単にＵＭＫステッカ７とも称する）は、使用者により、リフィル８に、貼り付けることができる。ＵＭＫステッカ７の表面には、フィールドジェネレータ１に、所定の指示を与える画像パターンが印刷されている。フィールドプレーヤ２及びフィールドデスク４は、ＵＭＫステッカ７が貼り付けられたリフィル８が装着されたとき、そのリフィル８の画像を入力し、その画像データをフィールドジェネレータ１に送信する。
【００２３】
フィールドプリンタ６−１は、フィールドジェネレータ１−１に接続されている。フィールドプリンタ６−２は、フィールドジェネレータ１−２に接続されている。
【００２４】
フィールドプリンタ６−３は、フィールドレコーダ３に接続されている。以下、フィールドプリンタ６−１乃至６−３は、個々に区別する必要がない場合、単にフィールドプリンタ６とも称する。フィールドプリンタ６は、フィールドデスク４にも接続できる。フィールドプリンタ６は、接続されたフィールドジェネレータ１、フィールドレコーダ３又はフィールドデスク４から供給される信号に基づき、ＵＭＫステッカ７を印刷する。
【００２５】
フィールドジェネレータ１の所有者は、印刷したＵＭＫステッカ７を、郵便、新聞の広告等の方法により、フィールドプレーヤ２及びフィールドデスク４の所有者に配布することができる。また、フィールドレコーダ３又はフィールドデスク４の使用者は、フィールドレコーダ３又はフィールドデスク４にフィールドプリンタ６を接続して、所定のＵＭＫステッカ７を印刷することができる。
【００２６】
フィールドジェネレータ１−１は、サーバ１１−１、送受信機１２−１，１２−２並びにアンテナ１３−１，１３−２で構成されている。サーバ１１−１は、送受信機１２−１，１２−２にデータを含んだ信号を供給し、また、送受信機１２−１，１２−２からデータを含んだ信号が入力される。送受信機１２−１は、無線伝送路をシェアリングして複数のフィールドプレーヤ２、フィールドレコーダ３又はフィールドデスク４と同時に通信を行えるＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）又はＣＤＭＡ（Ｃｏｄｅ  Ｄｉｖｉｓｉｏｎ  Ｍｕｌｔｉｐｌｅ  Ａｃｃｅｓｓ）などの信号伝送方式で、アンテナ１３−１を介して信号を送信し、また、フィールドプレーヤ２、フィールドレコーダ３やフィールドデスク４からの信号をアンテナ１３−１を介して受信する。同様に、送受信機１２−２は、アンテナ１３−２を介して信号を送信し、また、アンテナ１３−２を介して信号を受信する。
【００２７】
フィールドジェネレータ１−２は、サーバ１１−２、送受信機１２−３並びにアンテナ１３−３で構成されている。サーバ１１−２は、サーバ１１−１と同様に、送受信機１２−３に信号を供給し、また、送受信機１２−３からの信号が入力される。送受信機１２−３は、送受信機１２−１と同様に、アンテナ１３−３を介して信号を送信し、また、アンテナ１３−３を介して信号を受信するようになされている。
【００２８】
以下、サーバ１１−１，１１−２は、個々に区別する必要がない場合、単にサーバ１１とも称する。また、送受信機１２−１乃至１２−３は、個々に区別する必要がない場合、単に送受信機１２とも称する。さらに、アンテナ１３−１乃至１３−３は、個々に区別する必要がない場合、単にアンテナ１３とも称する。
【００２９】
図２は、サーバ１１−１のハードウェアの構成を示す図である。このサーバ１１−１は、内部バス２０に接続されたＣＰＵ（Ｃｅｎｔｒａｌ  Ｐｒｏｃｅｓｓｉｎｇ  Ｕｎｉｔ）２１、ＲＡＭ（Ｒａｎｄｏｍ  Ａｃｃｅｓｓ  Ｍｅｍｏｒｙ）２２、ＲＯＭ（Ｒｅａｄ  Ｏｎｌｙ  Ｍｅｍｏｒｙ）２３、ネットワークインターフェース２４、送受信装置インターフェース２５、入出力インターフェース２６を備えるとともに、この入出力インターフェース２６に接続されたＣＲＴ（Ｃａｔｈｏｄｅ−Ｒａｙ  Ｔｕｂｅ）２７、キーボード２８、マウスやトラックボールなどのポインティングデバイス２９、ＨＤＤ（Ｈａｒｄ  Ｄｉｓｋ  Ｄｒｉｖｅ）３０及びＭＯ（Ｍａｇｎｅｔｏ−Ｏｐｔｉｃ）ディスクドライブやテープドライブなどの外部記憶デバイス３１などを備えている。
【００３０】
ＣＰＵ２１は、各種プログラムを実際に実行する。ＲＡＭ２２は、ＣＰＵ２１の実行において使用するプログラムや、その実行において適宜変化するパラメータを格納する。ＲＯＭ２３は、ＣＰＵ２１が使用するプログラムや演算用パラメータのうち基本的に固定のデータを格納する。
【００３１】
ネットワークインターフェース２４は、データを接続するネットワーク５で必要とする形式に整え、所定の信号形式で出力し、ネットワーク５からの信号を入力し、入力した信号からサーバ１１が必要とするデータを抽出する。送受信装置インターフェース２５は、データを接続する送受信装置１２で必要とする形式に整え、所定の信号形式で出力し、送受信装置１２からの信号を入力し、入力した信号からサーバ１１が必要とするデータを抽出する。
【００３２】
ＣＲＴ２７、キーボード２８、マウスやトラックボールなどのポインティングデバイス２９、ＨＤＤ３０及び外部記憶デバイス３１は、入出力インターフェース２６を介して内部バスに接続されている。ＣＲＴ２７は、ＣＰＵ２１から供給された表示データを表示する。キーボード２８は、使用者の操作に応じた信号を、ＣＰＵ２１に供給するようになされている。ポインティングデバイス２９は、使用者のＣＲＴ２７上の表示に応じた操作により、所定の信号をＣＰＵ２１に供給するようになされている。ＨＤＤ３０及び外部記憶デバイス３１は、ＣＰＵ２１の実行においてＲＡＭ２３に格納するプログラム、その実行において必要なパラメータ及びデータ並びにネットワークインターフェース２４又は送受信装置インターフェース２５を介して出力するデータ等を格納する。フィールドプリンタ６−１へのデータは、入出力インターフェース２６から、所定のケーブル又は赤外線などを介して出力される。
【００３３】
ＣＰＵ２１、ＲＡＭ２２、ＲＯＭ２３、ネットワークインターフェース２４、送受信装置インターフェース２５及び入出力インターフェース２６は、内部バス２０を介して相互に接続されている。
【００３４】
サーバ１１−２のハードウェアの構成は、サーバ１１−１のハードウェアの構成と同じである。
【００３５】
図３は、サーバ１１−１のＣＰＵ２１がプログラムを実行することにより実現される機能ブロックの構成を示す図である。ユーザ管理データベース４１は、送受信装置制御部４４から得られた情報を元に、通信しているフィールドプレーヤ２、フィールドレコーダ３、又は、フィールドデスク４の使用者が所定の契約をしているか否かを識別するためのデータを格納する。フィールド生成制御部４２は、ＵＭＫ処理部４６又はコマンド処理部４８の出力に基づき、シェアリングした無線伝送路の各チャンネルへ出力する所定のデータを決定し、ＡＶ（Ａｕｄｉｏ  Ｖｉｓｕａｌ）データベース４７に格納されたデータを送受信装置制御部４４に送信するよう指示する。
【００３６】
ネットワーク制御部４３は、ネットワークインターフェース２４を制御し、サーバ１１をネットワーク５に接続する。送受信装置制御部４４は、ＡＶデータベース４７から出力されたデータを、所定のデータ形式に変換し、送受信装置インターフェース２５を制御して、送受信装置１２に出力する。送受信装置制御部４４は、１又は複数のフィールドプレーヤ２、フィールドレコーダ３又はフィールドデスク４から送信された画像又はコマンド信号を、送受信装置インターフェース２５を介して入力し、画像認識部４５又はコマンド処理部４８に送る。
【００３７】
画像認識部４５は、１又は複数のフィールドプレーヤ２又はフィールドデスク４から送信された画像の信号から、画像情報を認識して、必要な画像情報を抽出する。ＵＭＫ処理部４６は、画像認識部４５にて抽出された必要な画像情報を、デジタルコードに変換し、フィールド生成制御部４２にデジタルコードを送る。ＡＶデータベース４７は、フィールドプレーヤ２、フィールドレコーダ３又はフィールドデスク４に供給する画像、音声、文字などを再現するのに必要なデータを格納し、フィールド生成制御部４２の指示に応じて、そのデータを送受信装置制御部４４に送る。コマンド処理部４８は、フィールドプレーヤ２、フィールドレコーダ３又はフィールドデスク４から送られたコマンド信号に対応したコードを、送受信装置制御部４４から受け取り、そのコードに応じた指示をＵＭＫステッカ印刷処理部４９又はフィールド生成制御部４２に与える。ＵＭＫステッカ印刷処理部４９は、コマンド処理部４８又はＵＭＫ処理部４６の指示を受けて、サーバ１１−１に接続されたフィールドプリンタ６−１に所定のＵＭＫステッカの印刷を指示する。
【００３８】
サーバ１１−２の機能ブロックの構成は、サーバ１１−１の機能ブロックの構成と同じである。
【００３９】
図４は、使用状態にあるフィールドプレーヤ２の外観を示す図である。フィールドプレーヤ２には、ＵＭＫステッカ７が貼り付けられたリフィル８が、所定の位置に装着されている。
【００４０】
図５は、フィールドプレーヤ２−１のハードウェアの構成を示す図である。このフィールドプレーヤ２−１は、内部バス５０に接続されたＣＰＵ（Ｃｅｎｔｒａｌ  Ｐｒｏｃｅｓｓｉｎｇ  Ｕｎｉｔ）５１、ＲＡＭ（Ｒａｎｄｏｍ  Ａｃｃｅｓｓ  Ｍｅｍｏｒｙ）５２、ＲＯＭ（Ｒｅａｄ  Ｏｎｌｙ  Ｍｅｍｏｒｙ）５３、送受信装置インターフェース５４、入出力インターフェース５７及び画像処理プロセッサ６２を備えるとともに、上記送受信装置インターフェース５４に接続された送受信回路５５、上記入出力インターフェース５７に接続されたＬＣＤ（Ｌｉｑｕｉｄ  ｃｒｙｓｔａｌ  Ｄｉｓｐｌａｙ）５８、キーボード５９、マイクロホン６０及びスピーカ６１、上記画像処理プロセッサ６２にカメラインターフェース６３を介して接続されたＣＣＤカメラ６４−１，６４−２等を備える。
【００４１】
ＣＰＵ５１、ＲＡＭ５２、ＲＯＭ５３、送受信回路インターフェース５４、入出力インターフェース５７、ＬＣＤ５８及びキーボード５９は、それぞれ図２のＣＰＵ２１、ＲＡＭ２２、ＲＯＭ２３、送受信装置インターフェース２５、入出力インターフェース２６、ＣＲＴ２７及びキーボード２８と同様の機能を果たすものであるので、その説明は省略する。送受信回路５５は、送受信回路インターフェース５４より入力された信号を、所定の形式に変更し、アンテナ５６に出力する。また、送受信回路５５は、アンテナ５６より入力された信号を、所定の形式に変更し、送受信回路インターフェース５４に出力する。アンテナ５６は、送受信回路５５から入力された、所定の形式の電気信号を、電波に変換し、空間に放出し、また、フィールドジェネレータ１から送信された電波を電気信号に変換し、送受信回路５５に出力する。
【００４２】
マイクロホン６０は、使用者の音声を入力し、音声に対応した電気信号を、入出力インターフェース５７に供給するようになされている。スピーカ６１は、入出力インターフェース５７より供給された電気信号を音声に変換する。ＣＣＤカメラ６４−１は、リフィル８−１の画像を入力し、入力した画像に対応する信号をカメラインターフェース６３に供給する。ＣＣＤカメラ６４−２は、使用者を含む画像を入力し、入力した画像に対応する信号をカメラインターフェース６３に供給する。カメラインターフェース６３は、ＣＣＤカメラ６４−１，６４−２の信号を入力し、所定の信号形式に変更して、画像処理プロセッサ６２に信号を出力する。画像処理プロセッサ６２は、カメラインターフェース６３から入力されたリフィル８の画像の信号に対してはノイズ除去、濃淡処理、閾値調整、位置補正など、使用者の画像の信号に対しては色補正、圧縮などの必要な前処理を行い、ＣＰＵ５１、ＲＡＭ５２又は送受信回路インターフェース５４に出力する。
【００４３】
フィールドプレーヤ２−２−のハードウェアの構成は、フィールドプレーヤ２−１のハードウェア構成と同じである。
【００４４】
図６は、フィールドプレーヤ２−１のＣＰＵ５１がプログラムを実行することにより実現される機能ブロックの構成を示す図である。画像音声再生部７１は、送受信回路制御部７３を介して、フィールドジェネレータ１からのデータを入力し、ＬＣＤ５８に画像を、スピーカ６１に音声を再生させる。ユーザＩＤ（Ｉｄｅｎｔｉｆｉｃａｔｉｏｎ  Ｄａｔａ）設定部７２は、使用者が情報提供サービス業者と、情報提供のサービスを契約した場合、情報提供サービス業者が契約した使用者と識別するためのＩＤを格納し、ＵＭＫ画像入力部７４又はコマンド送信部７６がフィールドジェネレータ１に送信するＵＭＫ画像又はコマンドにユーザＩＤを付加する。送受信回路制御部７３は、ＵＭＫ画像入力部７４、画像データ入力部７５及びコマンド送信部７６から出力されたデータを、所定のデータ形式に変換し、送受信回路インターフェース５４を制御して、送受信回路５５に出力し、アンテナ５６を介して、フィールドジェネレータ１に送信する。送受信装置制御部４４は、１又は複数のフィールドジェネレータ１から送信された画像又は音声のデータを含む信号を、送受信装置インターフェース２５を介して入力し、画像音声再生部７１に送る。
【００４５】
ＵＭＫ画像入力部７４は、ＣＣＤカメラ６４−１から入力し、画像処理プロセッサ６２で前処理されたリフィル８−１の画像を、送受信回路制御部７３に出力する。画像データ入力部７５は、ＣＣＤカメラ６４−２から入力し、画像処理プロセッサ６２で前処理された使用者の画像及びマイク６０から入力した使用者の音声のデータを送受信回路制御部７３に出力する。コマンド送信部７６は、使用者のキーボード５９の操作により得られた信号を送受信回路制御部７３に出力する。
【００４６】
フィールドプレーヤ２−２の機能ブロックの構成は、フィールドプレーヤ２−１の機能ブロックの構成と同じである。
【００４７】
図７は、使用状態にあるフィールドレコーダ３の外観を示す図である。
【００４８】
図８は、フィールドレコーダ３‐１のハードウェアの構成を示す図である。このフィールドレコーダ３‐１は、内部バス８０に接続されたＣＰＵ（Ｃｅｎｔｒａｌ  Ｐｒｏｃｅｓｓｉｎｇ  Ｕｎｉｔ）８１、ＲＡＭ（Ｒａｎｄｏｍ  Ａｃ．ｃｅｓｓ  Ｍｅｍｏｒｙ）８２、ＲＯＭ（Ｒｅａｄ  Ｏｎｌｙ  Ｍｅｍｏｒｙ）８３、送受信装置インターフェース８４、入出力インターフェース８７及び画像処理プロセッサ９３を備えるとともに、上記送受信装置インターフェース８４に接続された送受信回路８５、上記入出力インターフェース８７に接続されたＬＣＤ（Ｌｉｑｕｉｄ  ｃｒｙｓｔａｌ  Ｄｉｓｐｌａｙ）８８、キーボード８９、マイクロホン９０、スピーカ９１及びＭＤ（Ｍｉｎｉ  Ｄｉｓｋ（商標））ドライバ９２、上記画像処理プロセッサ９３にカメラインターフェース９４を介して接続されたＣＣＤカメラ９５−１，９５‐２等を備える。
【００４９】
ＣＰＵ８１、ＲＡＭ８２、ＲＯＭ８３、送受信回路インターフェース８４、送受信回路８５、アンテナ８６、ＬＣＤ８８、マイク９０、スピーカ９１、ＣＣＤカメラ９５−１，９５−２、カメラインターフェース９４、並びに画像処理プロセッサ９３は、それぞれ図５のＣＰＵ５１、ＲＡＭ５２、ＲＯＭ５３、送受信回路インターフェース５４、送受信回路５５、アンテナ５６、ＬＣＤ５８、マイクロホン６０、スピーカ６１、ＣＣＤカメラ６４−１，６４−２、カメラインターフェース６３、並びに画像処理プロセッサ６２と同様の機能を果たすものであるので、その説明は省略する。
【００５０】
入出力インターフェース８７は、ＬＣＤ８８、スイッチ８９、マイクロホン９０、スピーカ９１及びＭＤドライバ９２、並びに内部バスに接続され、信号の形式とタイミングを整える。フィールドプリンタ６へのデータは、入出力インターフェース８７から、所定のケーブル又は赤外線などを介して出力される。スイッチ８９は、使用者の操作に応じた信号を、ＣＰＵ２１に供給するようになされている。ＭＤドライバ９２は、ＣＰＵ８１の指示に応じて、装着されたＭＤにＵＭＫステッカを印刷するために必要なデータ、画像及び音声データなどを記録し、再生する。
【００５１】
フィールドレコーダ３−２のハードウェアの構成は、フィールドレコーダ３−１のハードウェアの構成と同じである。
【００５２】
図９は、フィールドレコーダ３−１のＣＰＵ８１がプログラムを実行することにより実現される機能ブロックの構成を示す図である。画像音声再生部１０１、ユーザＩＤ設定部１０２、送受信回路制御部１０３、画像データ入力部１０５及びコマンド送信部１０６は、それぞれ、図６の画像音声再生部７１、ユーザＩＤ設定部７２、送受信回路制御部７３、画像データ入力部７５及びコマンド送信部７６と同様の機能を果たすものであるので、その説明は省略する。ＵＭＫ画像入力部１０４は、ＣＣＤカメラ９５−１で入力した、ＵＭＫステッカに印刷すべき画像のデータを送受信回路制御部１０３を介して、フィールドジェネレータ１に送信する。ＵＭＫステッカ印刷処理部１０７は、スイッチ８９の操作に応じて、フィールドレコーダ３に接続されたフィールドプリンタ６（図には示さず）に所定のＵＭＫステッカの印刷を指示する。
【００５３】
フィールドレコーダ３−２の機能ブロックの構成は、フィールドレコーダ３−１の機能ブロックの構成と同じである。
【００５４】
図１０は、使用状態にあるフィールドデスク４の外観を示す図である。フィールドデスク４には、ＵＭＫステッカ７が貼り付けられたリフィル８が、所定の位置に装着されている。
【００５５】
図１１は、フィールドデスク４のハードウェアの構成を示す図である。このフィールドデスク４は、内部バス１１０に接続されたＣＰＵ（Ｃｅｎｔｒａｌ  Ｐｒｏｃｅｓｓｉｎｇ  Ｕｎｉｔ）１１１、ＲＡＭ（Ｒａｎｄｏｍ  Ａｃｃｅｓｓ  Ｍｅｍｏｒｙ）１１２、ＲＯＭ（Ｒｅａｄ  Ｏｎｌｙ  Ｍｅｍｏｒｙ）１１３、送受信装置インターフェース１１４、ネットワークインターフェース１１７、入出力インターフェース１１８及び画像処理プロセッサ１２５を備えるとともに、上記送受信装置インターフェース１１４に接続された送受信回路１１５、上記入出力インターフェース１１８に接続されたＬＣＤ（Ｌｉｑｕｉｄ  Ｃｒｙｓｔａｌ  Ｄｉｓｐｌａｙ）１１９、カーソルキー１２０、マイクロホン１２１、スピーカ１２２及びＨＤＤ（Ｈａｒｄ  Ｄｉｓｋ  Ｄｒｉｖｅ）１２３及び外部記憶デバイス１２４、上記画像処理プロセッサ１２５にカメラインターフェース１２６を介して接続されたＣＣＤカメラ１２７−１，１２７−２等を備える。
【００５６】
ＣＰＵ１１１、ＲＡＭ１１２、ＲＯＭ１１３、ネットワークインターフェース１１７、入出力インターフェース１１８、ＬＣＤ１１９、カーソルキー１２０、ＨＤＤ１２３及び外部記憶デバイス１２４は、それぞれ図２のＣＰＵ２１、ＲＡＭ２２、ＲＯＭ２３、ネットワークインターフェース２４、入出力インターフェース２６、ＣＲＴ２７、キーボード２８、ＨＤＤ３０及び外部記憶デバイス３１と同様の機能を果たすものであるので、その説明は省略する。送受信回路インターフェース１１４、送受信回路１１５、アンテナ１１６、マイクロホン１２１、スピーカ１２２、ＣＣＤカメラ１２７−１，１２７−２、カメラインターフェース１２６、並びに画像処理プロセッサ１２５は、図５の送受信回路インターフェース５４、送受信回路５５、アンテナ５６、マイクロホン６０、スピーカ６１、ＣＣＤカメラ６４−１及び６４−２、カメラインターフェース６３、並びに画像処理プロセッサ６２と同様の機能を果たすものであるので、その説明は省略する。
【００５７】
図１２は、フィールドデスク４のＣＰＵ１１１がプログラムを実行することにより実現される機能ブロックの構成を示す図である。フィールド生成制御部１３２、ＡＶデータベース１３３、画像認識部１３４、ＵＭＫ処理部１３５、ネットワーク制御部１３６、コマンド処理部１４２及びＵＭＫステッカ印刷処理部１４３は、それぞれ、図３のフィールド生成制御部４２、ＡＶデータベース４７、画像認識部４５、ＵＭＫ処理部４６、ネットワーク制御部４３、コマンド処理部４８及びＵＭＫステッカ印刷処理部４９と同様の機能を果たすものであるので、その説明は省略する。送受信回路制御部１３７、ＵＭＫ画像入力部１３８、ユーザＩＤ設定部１３９及び画像データ入力部１４０は、それぞれ、図６の送受信回路制御部７３、ＵＭＫ画像入力部７４、ユーザＩＤ設定部７２及び画像データ入力部７５と同様の機能を果たすものであるので、その説明は省略する。画像音声再生部１３１は、図６の画像音声再生部７１の機能に加え、ＡＶデータベース１３３に格納されたデータを元に、ＬＣＤ１１９に画像を、スピーカ１２２に音声を再生させる。コマンド送信部１４１は、使用者のカーソル１２０の操作により得られた信号を、画像音声再生部１３１、フィールド制御部１３２、ネットワーク処理部１３５、ネットワーク制御部１３６、ＵＭＫステッカ印刷処理部１４３又はトランスミッタ制御部１７３に出力する。
【００５８】
次に、フィールドジェネレータ１、フィールドプレーヤ２及びフィールドレコーダ３の動作の詳細について説明する。
【００５９】
図１３は、リフィル８を装着していないフィールドプレーヤ２、フィールドレコーダ３及びフィールドジェネレータ１の動作を説明する図である。フィールドジェネレータ１は、常時、無線伝送路をシェアリングした所定のチャンネルで、静止画像、動画像（以下、これらを特に区別する必要がないとき、単に画像という）及び音声のデータを含んだ信号を送信する。フィールドジェネレータ１の送信範囲にあるリフィル８を装着していないフィールドプレーヤ２及びフィールドレコーダ３は、その画像及び音声データを含んだ信号を受信し、画像及び音声を再生する。図１４は、そのときのフィールドプレーヤ２又はフィールドレコーダ３が再生する画像（音声の再生状態を示す画像が同時に表示されている）の例を示す図である。
【００６０】
図１５は、リフィル８を装着していないフィールドプレーヤ２及びフィールドジェネレータ１の動作を説明するフローチャートである。ステップＳ１１において、フィールドジェネレータ１を使用する情報提供者の設定に基づき、サーバ１１のフィールド生成制御部４２は、ＡＶデータベース４７に、所定の画像と音声データを送受信装置制御部４４に送るように指示する。サーバ１１の送受信装置制御部４４は、所定の画像と音声データを送受信装置１２に出力する。ステップＳ１２において、送受信装置１２は、入力された所定の画像と音声データを所定の形式に変換し、所定のチャンネルで、アンテナ１３に出力する。アンテナ１３は、入力した電気信号を電波に変換して、送信する。
【００６１】
ステップＳ１３において、フィールドプレーヤ２は、その電波をアンテナ５６で受信し、送受信回路制御部７３の制御に基づき、送受信回路５５及び送受信回路インターフェース５４を介して、所定の形式の電気信号に変換し、そのデータを画像音声再生部７１に送る。ステップＳ１４において、フィールドプレーヤ２の画像音声再生部７１は、入力されたデータに基づき、ＬＣＤ５８に画像を表示し、スピーカ６１で音声を再生する。
【００６２】
フィールドレコーダ３も同様な手順で、フィールドジェネレータ１から送信された信号に基づき、画像及び音声を再生する。このとき、フィールドジェネレータ１は、複数のチャンネルで画像と音声のデータを提供し、フィールドプレーヤ２及びフィールドレコーダ３の使用者は、チャンネルを選択するようにしてもよい。
【００６３】
図１６は、ＵＭＫステッカ７を貼り付けたリフィル８を装着したフィールドプレーヤ２及びフィールドジェネレータ１の動作を説明する図である。ここでフィールドプレーヤ２の使用者が使用するＵＭＫステッカ７は、フィールドジェネレータ１を使用する情報提供者が供給したもの、あるいはフィールドレコーダ３及びフィールドプリンタ６を使用して自ら作成したものである。フィールドジェネレータ１の送受信範囲内にあり、ＵＭＫステッカ７を貼り付けたリフィル８を装着したフィールドプレーヤ２は、フィールドジェネレータ１に、ＵＭＫステッカ７に基づく情報の配信を要求する。その要求を受けたフィールドジェネレータは、ＵＭＫステッカ７に基づくデータを、フィールドプレーヤ２に配信する。
【００６４】
図１７は、ＵＭＫステッカ７の例を示す図である。ＵＭＫステッカ７の詳細は、本出願人が、平成９年特許願第３２４９２３号にて、情報入力媒体として、既に詳細に開示している。エリア１５２には、このステッカがＵＭＫステッカであることをサーバ１１の画像認識部４５又はフィールドデスク４の画像認識部１３４が認識するための所定の文字又はパターンが記載されている。
【００６５】
エリア１５３−１及び１５３−２は、電子的な情報に対応した識別絵文字が記載されている。この識別絵文字は、図１８に示すように、１つの識別絵文字が８方向の回転モードを有し、その方向によって８種類のコードが定義される。例えば、図１９に示すように、４個の識別絵文字１６２，１６３，１６４，１６５からなる識別絵文字列は、”２５７４”を表している。すなわち、第１の識別絵文字１６２は、”２”を示し、第２の識別絵文字１６３は”５”を示し、第３の識別絵文字１６４は”７”を示し、第４の識別絵文字１６５は”４”を示している。
【００６６】
図１７に戻り、エリア１５４−１乃至１５４−４には、フィールドプレーヤ２のＣＣＤカメラ６４−１で撮像される画像の位置補正を行うのに用いられる位置補正マークが記載される。
【００６７】
エリア１５５−１乃至１５５−４には、使用者が選択指示を行う為のマークが記載されている。使用者は、エリア１５５−１乃至１５５−４に記載されたマークを選択することにより、エリア１５６には表示されていない情報を選択することができる。すなわち、エリア１５５−１乃至１５５−４は、ＵＭＫステッカ７のエリア１５６に記載されている選択情報と、ＬＣＤ５８に表示されている選択情報とが異なる場合に、使用者が選択指示を行う為に用いられる。
【００６８】
エリア１５６は、情報内容が記載されている。使用者は、エリア１５６に記載された情報を見ることによって、このＵＭＫステッカを使用してどのような情報にアクセスすることができるかを知ることができる。また、フィールドジェネレータ１によってＵＭＫステッカ７を認識させた後、使用者は、このエリア１５６に記述されている情報を、指などで差し示すことにより、サーバ１１のコマンド処理部４８に所定の処理を行うように指示することができる。
【００６９】
例えば、図２０に示したＵＭＫステッカ７では、使用者は、エリア１５６に配置された制御命令記号エリア１７０に記載された制御命令記号１７１，１７２，１７３，１７４，１７５，１７６を指し示すことにより、サーバ１１のコマンド処理部４８に対して画像データをコントロールするための指示、例えば、次の画像データに移動、巻き戻し、再生、早送り、一時停止、停止などの指示を行うことができる。
【００７０】
なお、以上においては、制御命令記号が記述された例を用いて説明したが、エリア１５６に記載される情報内容は、これに限られることはなく、例えば、メニューが記載されていてもよい。この場合には、図２１に示すように、使用者は、エリア１５６に記述されたメニューを、手１８１の指で、指し示すことにより、フィールドプレ−ヤ２のＬＣＤ５８には、選択されたメニューに対応する情報が表示される。すなわち、サーバ１１のコマンド処理部４８が、ＵＭＫステッカ７に対応して、そのエリア１５６の位置と、エリア１５６のそれぞれの位置に割り当てる処理内容を格納しておけば、その格納した処理を実行することが可能となる。
【００７１】
また、ＵＭＫステッカ７は、ここで説明した全てのエリアによって構成される必要はなく、必要なエリアを組み合わせ、例えば、エリア１５２及びエリア１５３−１のみで構成してもよい。
【００７２】
図２２は、フィールドプレーヤ２にＵＭＫステッカ７を貼り付けたリフィルを装着した場合の、フィールドプレーヤ２及びフィールドジェネレータ１の動作を説明するフローチャートである。ステップＳ２１において、フィールドプレーヤ２の使用者は、入手したい情報の配信を指示するＵＭＫステッカ７を貼り付けたリフィル８をフィールドプレーヤ２の所定の位置にセットする。又は、入手したい情報の配信を指示するＵＭＫステッカ７を貼り付けたリフィル８を含んだ、複数のリフィル８がフィールドプレーヤ２にセットされているならば、使用者は、そのリフィル８の表が見えるようにリフィル８をめくる。ステップＳ２２において、フィールドプレーヤ２は、ＣＣＤカメラ６４−１でリフィル８．の画像を入力し、ＬＣＤ５８に表示する。ステップＳ２４において、フィールドプレーヤ２のＵＭＫ画像入力部７４は、リフィル８の画像を、フィールドジェネレータ１に送信するよう、送受信回路制御部７３に指示する。その指示を受けたフィールドプレーヤ２の送受信回路制御部７３は、送受信回路インターフェース５４、送受信回路５５及びアンテナ５６を動作させ、リフィル８の画像のデータを含んだ信号を、フィールドジェネレータ１に送信する。
【００７３】
ステップＳ２５において、サーバ１１の画像認識部４５は、送受信装置インターフェース２５を介して受信した、リフィル８の画像データから識別絵文字を抽出し、ＵＭＫ処理部４６に出力する。ステップＳ２６において、識別絵文字を入力したＵＭＫ処理部４６は、識別絵文字からデジタルコードを生成し、フィールド生成制御部４２に出力する。ステップＳ２７において、フィールド生成制御部４２は、ＡＶデータベース４７にデジタルコードに対応したデータを、送受信装置制御部４４に出力するよう指示する。ステップＳ２８において、送受信装置制御４４は、フィールド生成制御部４２の指示に基づき、所定のチャンネルに、ＡＶデータベース４７から出力されたデータを含んだ信号を出力する。
【００７４】
フィールドプレーヤ２の送受信回路制御部７３は、ステップＳ２９で、フィールドジェネレータ１から送信された、所定のチャンネルの信号を受信し、画像音声再生部７１は、その受信した信号に含まれるデータから、ＬＣＤ５８に画像を表示すると同時に、音声をスピーカ６１で再生する。
【００７５】
以上のように、フィールドプレーヤ２の使用者は、所望の画像及び音声のキーワードを知らなくとも、ＵＭＫステッカ７を貼り付けたリフィル８を使用することにより、所望の画像及び音声を得ることができる。ここで、フィールドジェネレータ１を使用する情報提供者は、契約をした使用者に所定のＵＭＫステッカ７を配布し、そのＵＭＫステッカ７が使用された場合、所定のチャンネルで、高画質の画像と高音質の音声のデータを供給することで、契約をしたフィールドプレーヤ２の使用者と契約をしていないフィールドプレーヤ２の使用者が、同時に、フィールドジェネレータ１の送受信エリア内にいたとしても、サービス内容を区別することができる。
【００７６】
また、フィールドプレーヤ２のユーザＩＤ設定部７２に、使用者を識別するコードを格納し、フィールドプレーヤ２は、リフィル８の画像データとともにそのユーザを識別するコードをフィールドジェネレータ１に送信し、それを受信したフィールドジェネレータ１は、ユーザ管理データベースに格納された情報と使用者を識別するコードの比較によって、使用者が、契約した者かを判定し、提供するサービスを区別してもよい。
【００７７】
さらに、フィールドプレーヤ２の使用者は、ＵＭＫステッカ７を貼り付けたリフィル８を所定の位置に装着するだけで、希望する情報が得られる。例えば、イタリア語しか理解しない使用者が、通常は日本語で情報を提供しているフィールドジェネレータ１から、イタリア語で情報の提供を希望した場合、所定のＵＭＫステッカ７を貼り付けたリフィル８を使用すれば、瞬時に、イタリア語で情報を入手することができる。
【００７８】
図２３は、フィールドレコーダ３が、フィールドジェネレータ１−１にＵＭＫステッカ７の作成を指示する動作を説明する図である。フィールドレコーダ３の使用者は、フィールドジェネレータ１−１から、配信されるデータを基に、フィールドレコーダ３のＬＣＤ８８に表示される画像又はスピーカ９１で再生される音声を認識し、同様の内容でより高画質な画像又は音声の提供、若しくは再度の画像又は音声の提供を希望した場合、フィールドジェネレータ１−１にＵＭＫステッカ７の作成を指示する。その指示を受けたフィールドジェネレータ１−１は、フィールドプリンタ６に、フィールドレコーダ３の使用者が希望する画像又は音声に対応するＵＭＫステッカ７を印刷させる。フィールドジェネレータ１−１を使用する情報提供者は、そのＵＭＫステッカ７を、フィールドレコーダ３で印刷を指示した使用者に渡す。フィールドレコーダ３の使用者が、フィールドプレーヤ２で、そのＵＭＫステッカ７を使用すると、フィールドプレーヤ２は、フィールドジェネレータ１−１にデータ配信を指示し、その使用者は、前述と同じ画像又は音声、若しくはより高画質な画像又は音声の提供をうけることができる。
【００７９】
さらに、フィールドレコーダ３により、フィールドジェネレータ１−１に作成を指示したＵＭＫステッカには、提供をうける画像及び音声、並びに作成に関連した情報が記録される。例えば、フィールドジェネレータ１−１を使用する情報提供者が、花屋であり、提供を受ける画像が”ラン”の画像である場合、ＵＭＫステッカ７には、フィールドレコーダ３でＵＭＫステッカ７の作成を指示した場所、時刻、”ラン”の画像のカテゴリーを表す”花”、”植物”、”自然”などの情報が記録される。他の情報提供者が使用するフィールドジェネレータ１−２の送受信範囲に移動後、そこで、フィールドプレーヤ２の使用者は、そのＵＭＫステッカ７を使用すると、フィールドプレーヤ２の配信要求に対して、フィールドジェネレータ１−２のＵＭＫ処理部４６は、ＵＭＫステッカ７に記録された前述の情報を基に、合致点又は共通点の多い情報をＡＶデータベース４７に検索させ、フィールドプレーヤ２にそのデータを配信する。
【００８０】
このように、使用者は、ＵＭＫステッカ７をフィールドプレーヤ２で使用することで、そのＵＭＫステッカ７の作成を指示したフィールドジェネレータ１以外のフィールドジェネレータ１でも、ＵＭＫステッカ７の属性に類似する画像又は音声のデータ提供を受けることができる。
【００８１】
図２４は、フィールドレコーダ３でフィールドジェネレータ１にＵＭＫステッカ７の印刷を指示する動作を説明するフローチャートである。ステップＳ３１において、使用者は、再度提供をうけたい画像及び音声のデータが配信されているとき、フィールドレコーダ３のスイッチ８９を押す。ステップＳ３２において、フィールドレコーダ３のＵＭＫ画像入力部１０４は、ＣＣＤカメラ９５−１から画像を入力し、その画像に対応したデータを作成する。ステップＳ３３において、フィールドレコーダ３のＵＭＫ画像入力部１０４は、ステップＳ３２において作成した画像のデータのフィールドジェネレータ１への送信を、送受信回路制御部１０３に指示する。さらに、フィールドレコーダ３のコマンド送信部１０６は、送受信回路制御部１０３に、ＵＭＫステッカ７の作成を指示するコードをフィールドジェネレータ１に送信するよう指示する。これらの指示を受けた送受信回路制御部１０３は、画像のデータとコードを含む信号を、送受信回路インターフェース８４を制御して、フィールドジェネレータ１に送信する。
【００８２】
ステップＳ３４において、サーバ１１のコマンド処理部４８は、送受信装置インターフェース２５を介して、フィールドレコーダ３が送信した信号に含まれるコードを入力し、現在、ＡＶデータベース４７が出力しているファイルに対応するデジタルコードの作成をＵＭＫ処理部４６に指示する。ステップＳ３５において、サーバ１１のＵＭＫ処理部４６は、ステップＳ３４にて作成されたデジタルコードをＵＭＫコードに変換し、そのＵＭＫコードをＵＭＫステッカ印刷処理部４９に送る。ステップＳ３６において、ＵＭＫ処理部４６は、ＡＶデータベース４７に、デジタルコードからＡＶデータベース４７が出力しているファイルを特定するためのインデックスの作成と登録を指示する。ステップＳ３７において、サーバ１１のＵＭＫステッカ印刷処理部４９は、送受信装置インターフェース２５を介して、フィールドレコーダ３が送信した信号に含まれる画像データとＵＭＫコードのデータを基に、ＵＭＫステッカの印刷をフィールドプリンタ６に指示する。ＵＭＫステッカ７の印刷の指示を受けたフィールドプリンタ６は、その画像データとＵＭＫコードのデータを基に、ＵＭＫステッカ７を印刷する。
【００８３】
以上のように、使用者は、フィールドレコーダ３の操作により、フィールドジェネレータ１に、ＵＭＫステッカ７を印刷させることができる。ここで、フィールドレコーダ３は、ＵＭＫステッカ７の印刷に必要な画像データを、フィールドジェネレータ１から受信し、そのフィールドレコーダ３に接続されたフィールドプリンタ６により、ＵＭＫステッカ７を印刷させてもよい。
【００８４】
さらに、使用者は、フィールドレコーダ３の操作により、ネットワーク５又は無線通信を介して、フィールドデスク４にＵＭＫステッカ７の印刷に必要な画像データ、又は提供をうけたい画像及び音声のデータを記録するよう指示することもできる。
【００８５】
図２５は、フィールドプレーヤ２−１が、フィールドジェネレータ１に、他のフィールドプレーヤ２−２へデータの転送を指示する動作の説明をする図である。フィールドプレーヤ２−１の使用者は、ＵＭＫステッカ７−１のエリア１５５−１乃至１５５−４又はエリア１５６を指で指し示すことにより、フィールドジェネレータ１に、同一又は類似する情報を記憶したＵＭＫステッカ７−２を使用中のフィールドプレーヤ２−２へ、データを転送させることができる。このとき、ＵＭＫステッカ７に記録された類似する情報の範囲の判定は、ＵＭＫステッカ７−１に記録された情報又はフィールドプレーヤ２−１の使用者の操作により決定される。類似する情報が記録されていないと判定されたＵＭＫステッカ７−３を使用中のフィールドプレーヤ２−３には、フィールドプレーヤ２−１の指示によるフィールドジェネレータ１からのデータ配信は行われない。
【００８６】
図２６は、フィールドプレーヤ２が、フィールドジェネレータ１に、他のフィールドプレーヤ２へデータの転送を指示する動作の説明をするフローチャートである。ステップＳ４１において、フィールドプレーヤ２の使用者は、所定のＵＭＫステッカ７が貼り付けられたリフィル８をフィールドプレーヤ２にセットする。ステップＳ４２において、フィールドプレーヤ２の使用者は、ＵＭＫステッカの所定のエリアのコマンドを指で指示する。ステップＳ４３において、フィールドプレーヤ２のＵＭＫ画像入力部７４は、ＣＣＤカメラ６４−１で入力した、ＵＭＫステッカの所定のエリアのコマンドを指で指示する画像を、フィールドジェネレータ１に送信するよう、送受信回路制御部７３に指示する。送受信回路制御部７３は、送受信回路インターフェース５４を制御して、その画像のデータを含んだ信号を、フィールドジェネレータ１に送信する。
【００８７】
ステップＳ４４において、サーバ１１の画像認識部４５は、送受信装置インターフェース２５を介して、フィールドプレーヤ２が送信した信号に含まれるリフィル８の画像のデータを入力し、その画像データから識別絵文字を抽出し、ＵＭＫ処理部４６に出力する。さらに画像認識部４５は、その画像データから使用者の指による指示位置を抽出し、コマンド処理部４８に出力する。識別絵文字を入力したＵＭＫ処理部４６は、識別絵文字からデジタルコードを生成し、コマンド処理部４８に出力する。ステップＳ４５において、サーバ１１のコマンド処理部４８は、デジタルコード及び指示位置を用いて、ＵＭＫステッカ７に対応した、そのエリア１５６の位置と、エリア１５６のそれぞれの位置に割り当てる処理内容を示す命令コードを対応させた表を検索し、命令コードを選択する。ステップＳ４６において、サーバ１１のコマンド処理部４８は、選択された命令コードに基づき、フィールド生成制御部４２に、ＡＶデータベース４７又はユーザ管理データベース４１に格納されたデータを、所定のチャンネルで、所定の他のフィールドプレーヤに送信するよう指示する。フィールド生成制御部４２は、ＡＶデータベース４７又はユーザ管理データベース４１に所定のデータを、送受信装置制御部４４に出力するよう指示する。送受信装置制御部４４は、フィールド生成制御部４２の指示に基づき、所定のチャンネルに、ＡＶデータベース４７又はユーザ管理データベース４１から出力されたデータを含んだ信号を出力する。
【００８８】
ステップＳ４７において、他のフィールドプレーヤ２の送受信回路制御部７３は、フィールドジェネレータ１から送信された、所定のチャンネルの信号を受信し、画像音声再生部７１は、その受信した信号に含まれるデータから、ＬＣＤ５８に画像を表示すると同時に、音声をスピーカ６１で再生する。
【００８９】
以上のように、フィールドプレーヤ２の使用者は、他のフィールドプレーヤ２に情報を転送することができる。他のフィールドプレーヤ２への情報の転送について説明したが、同様に、フィールドプレーヤ２の使用者は、所定のＵＭＫステッカ７を用いて、フィールドプレーヤ２を操作することにより、フィールドプレーヤ２又はフィールドジェネレータ１が有する情報に、修正、交換などの操作をすることができる。
【００９０】
フィールドデスク４は、フィールドジェネレータ１、フィールドプレーヤ２、フィールドレコーダ３の機能を有する。フィールドデスク４は、ネットワーク５−２を介して取得した情報、ＵＭＫステッカ７を使用してフィールドジェネレータ１から取得した情報を記憶し、その情報を個人的に使用するためのものであり、基本的には、フィールドデスク４の送受信範囲及び無線伝送路の容量は、フィールドジェネレータ１に比較し、小規模である。
【００９１】
また、本明細書において、情報提供装置と情報処理装置の通信は、多重伝送路を有する無線を利用することとして説明したが、物理層に無線を利用したネットワークを利用してもかまわない。このときの伝送方式としてマルチキャストやトランスポート層の通信プロトコルとしてＵＤＰ（Ｕｓｅｒ  Ｄａｔａｇｒａｍ  Ｐｒｏｔｏｃｏｌ）などが利用できる。
【００９２】
なお、本明細書において、システムとは、複数の装置により構成される装置全体を表すものとする。
【００９３】
また、上記したような処理を行うコンピュータプログラムをユーザに提供するプログラム提供媒体としては、磁気ディスク、ＣＤ−ＲＯＭ、固体メモリなどの記録媒体の他、ネットワーク、衛星などの通信媒体を利用することができる。
この情報提供システムは、有料の情報サービスを行う場合、例えば、図２７に示すような構成の有料情報サービスシステムに組み込まれる。
【００９４】
この図２７に示す有料情報サービスシステムは、ユーザにより認証システムを介してアクセスされるプロバイダを備え、コンテンツを蓄積したコンテンツサーバからプロバイダがユーザにより要求されたコンテンツを呼び出してユーザに供給する。
【００９５】
上記コンテンツサーバには、ライセンサから発行されたペーパーコードに関連付けられて上記プロバイダにより登録されたコンテンツが暗号化システムにより暗号化された状態で蓄積されている。上記コンテンツサーバは、プロバイダがユーザにより要求されたコンテンツをデコードして衛星を介してユーザに供給する。
【００９６】
この有料情報サービスシステムにおいて、プロバイダは、ペーパーコードに関連付けられたコンテンツのアクセスレベルに応じたＵＭＫシートをＸＭＬ／ＨＴＭＬ変換してホームページに掲載したり、通信販売／店舗販売などのチラシとして配布したり、あるいは、郵送によりユーザに送る。また、ユーザから、契約利用者としての登録要求があると、認証システムを介して課金センタにユーザ登録を行う。
【００９７】
この有料情報サービスシステムおいて、ホームページをアクセスしてＵＭＫシートを印刷することによって入手したり、通信販売／店舗販売などのチラシとして配布されるＵＭＫシートやプロバイダから郵送されてくるＵＭＫシートを入手したユーザは、上述のフィールドプレーヤ２、フィールドレコーダ３あるいはフィールドデスク４を用いてフィールドジェネレータ１をアクセスすることができる。
【００９８】
そして、この有料情報サービスシステムでは、次のようなインタラクティブフィールドを構築している。
【００９９】
ここで、インタラクティブフィールドは、個人あるいは団体が保持している情報の参照、取得、交換、送出、転送、修正などの情報操作を行える「場」によって形成されている。この「場」は、個人あるいは団体毎に個々別々に形成されており、「場」への操作は、お互いの許容レベル（情報の開示と要求のレベル）の一致と空間的な許容範囲により可能となる。この「場」への操作原理を含めた概念をインタラクティブフィールドと呼ぶ。次に、このインタラクティブフィールドの個々の許容レベルを形成するものとして、フィールドレベル、また、その空間的な許容範囲を意味するものとして、フィールドエリアを定義する。これら、フィールドレベル、フィールドエリアは、マルチメディア情報を利用者の趣向や利用位置により、いかに適切に提供するかを目指して，考案した概念であり、コンピュータ、広域ネットワーク、各種無線伝送経などを利用することにより実現される。
【０１００】
なお、インタラクティブフィールドについては、電気通信大学において１９９８年９月８日〜９月１１に開催された日本ソフトウエア学会第１５回大会において、その概要を本件発明者が自ら発表した。
【０１０１】
フィールドレベルは、例えば、図２８に示すように、次の３つのレベル（Ｐｒｉｖａｔｅ、Ｐｅｒｓｏｎａｌ、Ｐｕｂｌｉｃ）より構成される。
【０１０２】
一般大衆をターゲットユーザとするＰｕｂｌｉｃフィールドでは、低画質静止画、文字、音声等のデータを提供する。ユーザは、フィールドジェネレータから放送形態で情報をフィールドギアにより受け取る。ユーザは、この情報から自分が現在属している「場」の提供する内容を確認することができる。例えば、駅の近くでは、駅名や現在の路線の混雑状況のなどの放送サービスが行われ、コンビニエンスストアやレストランの近くでは、今日のお勧めなどが放送される。
【０１０３】
専用利用者をターゲットユーザとするＰｅｒｓｏｎａｌフィールドでは、低画質動画、高画質静止画、文字、音声等のデータを提供する。双方向性を持ち、店の空席状況や予約等を可能にする。このＰｅｒｓｏｎａｌフィールドでは、サービス業者が発するインタラクティブフィールドとユーザが持つインタラクティブフィールドに相関関係が存在する場合に、その強度との種別に応じて情報が配信される。また、その情報に対して、ユーザがアクセスした内容によって、インタラクティブフィールドは趣向性に関する学習を行い、随時更新される。ユーザは、駅前や新聞あるいはインターネットから入手したＵＭＫコードの付加された広告を用いて、各フィールドジェネレータにアクセスすることにより、広告の内容に関連するマルチメディア情報を入手することができる。
【０１０４】
例えば、各「場」の近くで、フィールドギアに線路のチラシをセットし、混雑状況の項目を選択すると、指定した路線の混雑状況が画像や音声、文字情報によりアナウンスされる。また、コンビニエンスストアやレストランの近くでは、商品ガイドのチラシをフィールドギアにセットし、お勧めの項目を指定すると、本日のお勧めの商品の画像や音声、文字情報がアナウンスされる。
【０１０５】
契約者をターゲットユーザとするＰｒｉｖａｔｅフィールドでは、高画質動画、高画質静止画、文字、音声等のデータを提供する。双方向性を持ち、メニューによる注文等を可能にする。このＰｒｉｖａｔｅフィールドでは、予め、各「場」を生成するプロバイダと契約している利用者が、そのプロバイダから定期的に郵送やインターネットにより供給されるＵＭＫコードの付加されたチラシを用いて、契約利用者のみのマルチメディア情報を入手することができる。
【０１０６】
例えば、各「場」の近くで、路線プロバイダから送られてきたチケット予約のチラシをフィールドギアにセットし、路線や日時の項目を入力することにより、座席の予約ができ、予約したチケットを駅のカウンタで受け取ることができる。また、コンビニエンスストアやレストランの近くでは、プロバイダから送られてきた商品注文のチラシをフィールドギアにセットし、注文番号を入力することにより、店に入ったときすぐに商品や座席が確保されている。
【０１０７】
なお、Ｐｒｉｖａｔｅフィールドでは、ユーザ同士のインタラクティブフィールドに相関性がある場合に、互いの個人情報を任意に交換することができ、また、個人情報をＷｅｂ上での掲載、テレビ、雑誌などの各種イベントにリンクさせることなどできる。
【０１０８】
このように、フィールドレベルをＰｒｉｖａｔｅ、Ｐｅｒｓｏｎａｌ、Ｐｕｂｌｉｃなどのように個人の情報の区分を明確化することにより、利用者である個人は、いろいろな状況の変化に応じてこのレベルを切り替えることにより、同一の「場」において、異なったレベルのマルチメディア情報にアクセスすることが可能になる。このレベルの切替えを行うのに、“紙”によるマルチメディアインターフェイスであるＵＭＫステッカ７を用いることにより、瞬時にしかも直感的に行うことが可能になる。
【０１０９】
フィールドエリアは、個人あるいは団体の「場」の到達許容範囲に応じて、任意の形態で設定されている。
【０１１０】
この場合の任意とは、「場」を生成したい個人あるいは団体が、その個々に許されている、あるいは許容したい範囲を特定することにより、それ以外の「場」に対して、必要以上の影響を及ぼさないようにする仕組みである。
【０１１１】
つまり、家庭内においては、そのフィールドエリアを家の中だけにとどめ、商店や公共団体に置いては、そのフィールドエリアを地域内にとどめ、放送機関などにおいては、電波法などに定められる範囲内に「場」の到達許容範囲が設定されることになる。
【０１１２】
次に、この到達許容範囲の実現手段について説明する。
【０１１３】
具体的には、非常に小人数を対象にする家庭内の「場」生成においては、赤外線や微弱電波などの小電力無線通信などが利用される。このエリアのことをＨｏｍｅフィールドエリア（Ｈｏｍｅ  ＦＡ）と呼ぶ。また特定の地域の比較的多くの人を対象とする店や公共機関などの「場」の生成には、中規模な電力出力を用いた無線通信により実現される。このエリアのことをＬｏｃａｌフィールドエリア（Ｌｏｃａｌ  ＦＡ）と呼ぶ。更に、広範囲の非常に多くの人を対象にする放送機関などの「場」の生成には、衛星などの大規模な電力出力による無線通信を用いる。このエリアのことをＷｉｄｅフィールドエリア（Ｗｉｄｅ  ＦＡ）と呼ぶ。
【０１１４】
これら各種「場」の生成をつかさどる装置として装置の総称をフィールドジェネレータと呼び、上述のフィールドジェネレータ１がこれに当たる。また、これら「場」にアクセスするための装置を総称してフィールドギアと呼び、上述のフィールドプレーヤ２、フィールドレコーダ３やフィールドデスク４がこれに当たる。
【０１１５】
フィールドジェネレータ１は、主に「場」の生成をつかさどるものであり、フィールドギアを保持した利用者が、インタラクティブフィールド内において、種々の情報操作（参照、取得、交換、送出、転送、修正など）を許容レベルと許容範囲に応じて行うことを制御している。また、フィールドジェネレータ１は各種の広域ネットワークと接続されており、Ｇａｔｅｗａｙ  ＭａｃｈｉｎｅとしてＷｅｂ  Ｓｉｔｅへのアクセスを可能としている。
【０１１６】
つまり、利用者は、フィールドギアを携帯することにより、Ｈｏｍｅ  ＦＡ，Ｌｏｃａｌ  ＦＡ，Ｗｉｄｅ  ＦＡに構築されている各種の「場」に対して、随時その必要性に応じて、アクセスすることができる。
【０１１７】
次に、インタラクティブフィールド内におけるＵＭＫシート用いたフィールドプレーヤ２による情報入手の手順について、図２９を参照して説明する。
【０１１８】
ステップＳ５１において、利用者は、個人で作成したり、店などから配布されたＵＭＫシートをフィールドプレーヤ２のシートホルダの任意の位置に綴じておく。そして、ステップＳ５２において、利用者はフィールドプレーヤ２を携帯して家庭内あるいは街角を移動する。
【０１１９】
そして、ステップＳ５３において、利用者が例えば駅のフィールドジェネレータ１が生成するフィールド内に入るとＰｕｂｌｉｃ  Ｌｅｖｅｌのマルチメディア情報が、フィールドプレーヤ２に送られ再生される。
【０１２０】
次のステップＳ５４において、ここで利用者は、このマルチメディア情報を受け取り、このフィールドに興味を持てば、これに対応するＵＭＫシートのページを開く。
【０１２１】
ステップＳ５５において、フィールドジェネレータ１は、このＵＭＫシートの画像を受け取り、ＵＭＫシートのアクセスレベルが特定利用者アクセスレベルであるか否かを判定する。
【０１２２】
特定利用者アクセスレベルである場合には、ステップＳ５６において、フィールドジェネレータ１は、あらかじめ登録されている特定利用者向けデジタルページ画像をフィールドプレーヤ２に送り返す。これにより、フィールドプレーヤ２側では、特定利用者向けデジタルページ画像が表示される。
【０１２３】
そして、ステップＳ５７において、利用者が、上記特定利用者向けデジタルページ画像、又は、上記ＵＭＫシートに表示されている取得したい情報の箇所を指などで触わることにより、取得したい情報を指示する画像がフィールドジェネレータ１に送られる。また、ステップＳ５８において、フィールドジェネレータ１は、送られてきた画像から取得指示された情報に対応する情報コードにより、特定利用者向けコンテンツデータを再生しフィールドプレーヤ２に送り返す。
【０１２４】
また、上記ＵＭＫシートのアクセスレベルが特定利用者アクセスレベルでない場合には、ステップＳ５９において、フィールドジェネレータ１は、上記ＵＭＫシートのアクセスレベルが契約利用者アクセスレベルであるか否かを判定する。
【０１２５】
契約利用者アクセスレベルである場合には、ステップＳ６０において、フィールドジェネレータ１は、あらかじめ登録されている契約利用者向けデジタルページ画像をフィールドプレーヤ２に送り返す。これにより、フィールドプレーヤ２側では、契約利用者向けデジタルページ画像が表示される。
【０１２６】
そして、ステップＳ６１において、利用者が、上記契約利用者向けデジタルページ画像、又は、上記ＵＭＫシートに表示されている取得したい情報の箇所を指などで触わることにより、取得したい情報を指示する画像がフィールドジェネレータ１に送られる。また、ステップＳ６２において、フィールドジェネレータ１は、送られてきた画像から取得指示された情報に対応する情報コードにより、契約利用者向けコンテンツデータを再生しフィールドプレーヤ２に送り返す。
【０１２７】
したがって、例えば「レストラン」のガイド用ＵＭＫシートをフィールドプレーヤ２のシートホルダに綴じておき、街角を歩いていて「レストラン」のフィールドに入ると「本日の予約状況」などのガイダンス情報がアナウンスされ、この情報に興味を持った場合に、「レストラン」のページを開き、その中の「予約」の表示部分を指で触わると、予約者の氏名、人数、時間などの登録手順がマルチメディア再生されるので、指示に従い予約登録を行うことができる。
【０１２８】
【図面の簡単な説明】
【図１】  図１は、本発明を適用した情報提供システムの構成を示すシステム構成図である。
【図２】  図２は、上記情報提供システムにおけるサーバのハードウェアの構成を示す図である。
【図３】  図３は、上記サーバの機能ブロックの構成を示す図である。
【図４】  図４は、上記情報提供システムにおけるフィールドプレーヤの外観斜視図である。
【図５】  図５は、上記フィールドプレーヤのハードウェアの構成を示す図である。
【図６】  図６は、上記フィールドプレーヤの機能ブロックの構成を示す図である。
【図７】  図７は、上記情報提供システムにおけるフィールドレコーダの外観斜視図である。
【図８】  図８は、上記フィールドレコーダのハードウェアの構成を示す図である。
【図９】  図９は、フィールドレコーダの機能ブロックの構成を示す図である。
【図１０】  図１０は、上記情報提供システムにおけるフィールドデスクの外観斜視図である。
【図１１】  図１１は、上記フィールドデスクのハードウェアの構成を示す図である。
【図１２】  図１２は、上記フィールドデスクの機能ブロックの構成を示す図である。
【図１３】  図１３は、上記情報提供システムにおいて、リフィルを装着していないフィールドプレーヤ、フィールドレコーダ及びフィールドジェネレータの動作を説明する図である。
【図１４】  図１４は、上記情報提供システムにおいて、フィールドプレーヤ又はフィールドレコーダが再生する画像の例を示す図である。
【図１５】  図１５は、上記情報提供システムにおいて、リフィルを装着していないフィールドプレーヤ及びフィールドジェネレータの動作を説明するフローチャートである。
【図１６】  図１６は、上記情報提供システムにおいて、ＵＭＫステッカを貼り付けたリフィルを装着したフィールドプレーヤ及びフィールドジェネレータの動作を説明する図である。
【図１７】  図１７は、上記ＵＭＫステッカの例を示す図である。
【図１８】  図１８は、識別絵文字のコードを示す図である。
【図１９】  図１９は、識別絵文字列の例を示す図である。
【図２０】  図２０は、ＵＭＫステッカの例を示す図である。
【図２１】  図２１は、ＵＭＫステッカのメニューを指で指し示す状態を示す図である。
【図２２】  図２２は、上記情報提供システムにおいて、ＵＭＫステッカを貼り付けたリフィルを装着したフィールドプレーヤ及びフィールドジェネレータの動作を説明するフローチャートである。
【図２３】  図２３は、上記情報提供システムにおいて、フィールドレコーダがフィールドジェネレータにＵＭＫステッカの作成を指示する動作の説明をする図である。
【図２４】  図２４は、上記情報提供システムにおいて、フィールドレコーダがフィールドジェネレータにＵＭＫステッカの作成を指示する動作の説明をするフローチャートである。
【図２５】  図２５は、上記情報提供システムにおいて、フィールドプレーヤがフィールドジェネレータに他のフィールドプレーヤへデータの転送を指示する動作の説明をする図である。
【図２６】  図２６は、上記情報提供システムにおいて、フィールドプレーヤがフィールドジェネレータに他のフィールドプレーヤへデータの転送を指示する動作の説明をするフローチャートである。
【図２７】  図２７は、上記情報提供システムを適用した有料情報サービス野構成を示す図である。
【図２８】  図２８は、上記情報提供システムを適用したインタラクティブフィールドのレベル構成を示す図である。
【図２９】  図２９は、上記インタラクティブフィールドにおけるフィールドプレーヤの操作例を示すフローチャートである。
【図１】
0004396034.tif 000002
【図２】
0004396034.tif 000003
【図３】
0004396034.tif 000004
【図４】
0004396034.tif 000005
【図５】
0004396034.tif 000006
【図６】
0004396034.tif 000007
【図７】
0004396034.tif 000008
【図８】
0004396034.tif 000009
【図９】
0004396034.tif 000010
【図１０】
0004396034.tif 000011
【図１１】
0004396034.tif 000012
【図１２】
0004396034.tif 000013
【図１３】
0004396034.tif 000014
【図１４】
0004396034.tif 000015
【図１５】
0004396034.tif 000016
【図１６】
0004396034.tif 000017
【図１７】
0004396034.tif 000018
【図１８】
0004396034.tif 000019
【図１９】
0004396034.tif 000020
【図２０】
0004396034.tif 000021
【図２１】
0004396034.tif 000022
【図２２】
0004396034.tif 000023
【図２３】
0004396034.tif 000024
【図２４】
0004396034.tif 000025
【図２５】
0004396034.tif 000026
【図２６】
0004396034.tif 000027
【図２７】
0004396034.tif 000028
【図２８】
0004396034.tif 000029
【図２９】
0004396034.tif 000030